(57)【要約】【課題】レシートを見て実際の商品の外観のみならずその商品の素材の模様を知ることができるレシートを発行できるようにする。【解決手段】  販売商品に関する商品情報及び商品画像が入力される入力部と、商品コードに対応して当該商品の商品情報と当該商品画像とを記憶している記憶部と、前記商品コードが一致すると前記商品記憶部から当該販売商品の商品情報及び当該販売商品画像を読み出してデータ処理するデータ処理部と、データ処理された商品情報及び商品画像が印刷されたレシートを発行するレシート印刷部とを備え、前記記憶部には、商品画像として、外観画像と商品の素材模様に関するデータが格納されているようにした。【選択図】図１
2014119873.tif 000002
【特許請求の範囲】
【請求項１】
販売商品に関する商品情報及び商品画像が入力される入力部と、
商品コードに対応して当該商品の商品情報と当該商品画像とを記憶している記憶部と、
前記商品コードが一致すると前記商品記憶部から当該販売商品の商品情報及び当該販売商品画像を読み出してデータ処理するデータ処理部と、
データ処理された商品情報及び商品画像が印刷されたレシートを発行するレシート印刷部とを備え、
前記記憶部には、商品画像として、外観画像と商品の素材模様に関するデータが格納されていることを特徴とするレシート発行装置。
【請求項２】
販売商品に関する商品情報及び商品画像が入力される入力部と、
商品コードに対応して当該商品の商品情報と当該商品画像とを記憶している記憶部と、
前記商品コードが一致すると前記商品記憶部から当該販売商品の商品情報及び当該販売商品画像を読み出してデータ処理するデータ処理部と、
データ処理された商品情報及び商品画像が印刷されたレシートを発行するレシート印刷部とを備え、
前記記憶部には、商品画像として、外観画像が格納され、また、
前記データ処理部は、前記外観画像から商品の素材模様に関する画像を抽出する画像加工部を有し、
前記レシート印刷部は、レシート上に商品の外観画像と素材模様の両方を印刷する、
ことを特徴とするレシート発行装置。
【請求項３】
前記画像加工部は、撮影され且つ入力された商品の画像データに対してグレースケール変換をし、さらに画像の２階調化を行うことを特徴とする請求項２記載のレシート発行装置。
【請求項４】
商品情報と、撮影され且つ入力された商品画像とを格納した記憶部に対して商品コードを基にデータベース検索するステップと、
前記商品コードが一致すると前記商品記憶部から当該販売商品の商品情報及び当該販売商品画像を読み出してデータ処理するステップと、
データ処理された商品情報及び商品画像を印刷してレシートを発行するステップとを含み、
前記データ処理するステップでは、商品画像として、外観画像と商品の素材模様に関するデータを生成し、且つ、外観画像についてはグレースケール変換をし、さらに画像の２階調化を行い、また、素材模様については前記外観画像から商品の素材模様に関する画像を抽出して前記素材模様を生成することを特徴とするレシート発行方法。
【発明の詳細な説明】
【技術分野】
【０００１】
本発明は、店舗等で商品やサービスの購入に際して支払った代金の他に、商品の外観とその商品の素材模様を表示したレシートを発行するレシート発行方法及び装置に関する。
【背景技術】
【０００２】
店舗、店頭などで商品を購入した際、従来のレシート発行装置では、レシートに印刷される商品の情報としては、購入した商品の名前、値段、商品の数量などであった。
【０００３】
他方、特許文献１には、レシートを見て実際の商品の外観を知ることができるようなレシートを発行するレシート発行方法及び装置が開示されている。
【先行技術文献】
【特許文献】
【０００４】
【特許文献１】特開２００５−１６５５５０号公報
【発明の概要】
【発明が解決しようとする課題】
【０００５】
しかしながら、レシートを見て実際の商品の外観を知ることができても、外観情報だけでは商品の素材についての情報を知ることはできない。従って、例えば衣服を購入し、購入後、衣装ケースに保管しておくときに衣装ケースの外部から、中の衣類の素材の模様を思い浮かべることはできない。
【０００６】
本発明は上記従来の問題点に鑑みてなされたもので、その目的は、レシートを見て実際の商品の外観のみならずその商品の素材の模様を知ることができるレシートを発行するレシート発行方法及び装置を提供することにある。
【課題を解決するための手段】
【０００７】
本発明は上記目的を達成するため、販売商品に関する商品情報及び商品画像が入力される入力部と、商品コードに対応して当該商品の商品情報と当該商品画像とを記憶している記憶部と、前記商品コードが一致すると前記商品記憶部から当該販売商品の商品情報及び当該販売商品画像を読み出してデータ処理するデータ処理部と、データ処理された商品情報及び商品画像が印刷されたレシートを発行するレシート印刷部とを備え、前記記憶部には、商品画像として、外観画像と商品の素材模様に関するデータが格納されているようにしたものである。かかる構成において、前記記憶部に、商品画像として、外観画像と商品の素材模様に関するデータを格納する代わりに、前記記憶部には、商品画像として、外観画像のみを格納しておき、前記データ処理部は、前記外観画像から商品の素材模様に関する画像を抽出する画像加工部を有し、前記レシート印刷部は、レシート上に商品の外観画像と素材模様の両方を印刷するようにしても良い。また、前記画像加工部は、撮影され且つ入力された商品の画像データに対してグレースケール変換をし、さらに画像の２階調化を行うようにしても良い。
【０００８】
また本発明は、商品情報と、撮影され且つ入力された商品画像とを格納した記憶部に対して商品コードを基にデータベース検索するステップと、前記商品コードが一致すると前記商品記憶部から当該販売商品の商品情報及び当該販売商品画像を読み出してデータ処理するステップと、データ処理された商品情報及び商品画像を印刷してレシートを発行するステップとを含み、前記データ処理するステップでは、商品画像として、外観画像と商品の素材模様に関するデータを生成し、且つ、外観画像についてはグレースケール変換をし、さらに画像の２階調化を行い、また、素材模様については前記外観画像から商品の素材模様に関する画像を抽出して前記素材模様を生成することを要旨とする。
【発明の効果】
【０００９】
本発明によれば、購入した商品画像とその商品の素材の画像とをレシートに印刷することでレシートを見て実際の商品の外観及び素材の内容を知ることができ、何を購入したのか判断し易いのみならず、その商品の最適な使用時期、場所、状況等を判断し易くなる。
【図面の簡単な説明】
【００１０】
【図１】本発明の一実施の形態によるＰＯＳレジレシート発行装置のブロック図である。
【図２】上記実施の形態におけるレシート発行装置の商品記憶部の内部を説明するための図である。
【図３】サーマルプリンターによるレシート印刷時における画質の違いを説明する比較図である。
【図４】上記実施の形態におけるレシート発行動作を説明するフローチャートである。
【図５】上記実施の形態におけるレシート印刷部から出力されたレシートの一例を示す図である。
【発明を実施するための形態】
【００１１】
以下、本発明の実施の形態について、図面を用いて説明する。図１は本発明の一実施の形態によるＰＯＳレジレシート発行装置のブロック図である。図１において、１はレシート発行のための各種データを入力する入力部、２は入力されたデータを処理するデータ処理部、３は入力部１から入力されたりデータ処理により得られた各種データを格納する記憶部、４は領収書となるレシートを出力するレシート印刷部である。
【００１２】
入力部１はキーボード、マウス、スキャナ、或いはカメラ等から成り、商品情報として、商品コード、品名、金額、色サイズ名、素材名、単価、数量等を入力する。また、入力部１としてのカメラにより商品の外観が撮影されその画像（これを「外観画像」とする）が入力される。さらにカメラによりその商品の素材が撮影されその画像（これを「素材模様」とする）が入力される。なお素材模様はカメラによって撮影されずに、上記外観画像からデータ処理により抽出してもよい。そして、上記外観画像と素材模様を合わせて商品画像とする。これら入力された商品情報及び商品画像は記憶部３へ送付されここに格納される。記憶部３は商品記憶部４０を有しこの中には上記商品情報及び商品画像が格納されている。図２は商品記憶部４０内における品情報及び商品画像の格納状態を説明する図である。図２を参照すると、商品記憶部４０には、商品コードに対応して、商品情報及び商品画像が記憶されている。商品記憶部４０には、例えば、商品コード００１には、商品情報として商品名：コート０１及びこれに対応する金額、色サイズ名、素材名、単価、数量等（図示略）が記憶されると共に、商品画像としてコート０１の外観画像及び素材模様のビットマップファイル(coat01.bmp)が対応して記憶されている。更に、商品記憶部４０には、他の品目についての商品情報及び商品画像が対応して記憶されている。
【００１３】
データ処理部２は商品記憶部４０に格納された商品情報や商品画像を検索するための商品検索部２１と、商品記憶部４０から読み出された商品情報を展開する商品情報展開部２２と、商品記憶部４０から読み出された商品画像のデータを加工処理する画像加工部２３と、画像加工部２３において加工処理された画像のうち外観画像のデータを展開する外観画像展開部２４と、画像加工部２３において加工処理された画像のうち素材模様のデータを展開する素材模様展開部２５とを有している。商品情報展開部２２には商品についての情報である商品コード、品名、金額、色サイズ名、素材名、単価、数量等の全項目、或いはレシートとして印刷する必要がある項目が文字データとして展開される。外観画像展開部２４には商品の外観画像のビットマップデータが展開される。素材模様展開部２５には商品の素材模様のビットマップデータが展開される。
【００１４】
本実施の形態においては、レシート印刷部４はサーマルプリンターにより構成され、データ処理部２において処理された印刷用データを受け取ってレシートを印刷する。このレシート印刷部４はデータ処理部２から送付された商品情報及び商品画像のデータを合成する画像合成部３１と、合成された画像データを登録する画像登録部３２と、レシートを印刷する印刷動作部３３とを有している。印刷動作部３３は商品情報を文字として印刷し、また商品画像である外観画像及び素材模様を、上記カメラで撮影された形状状態の画像として印刷する。ここで、外観画像の画像表現について説明する。図３は外観画像の各表現内容を示す図である。図３（ａ）はカメラで撮影されたままの商品の画像を示し、より鮮明な画像となっている。図３（ｂ）はカメラで撮影された商品の画像を白黒２値で読み取り表現（或いは印刷）した画像を示し、商品の外観を示す輪郭などが不鮮明な画像となっている。図３（ｃ）は本実施の形態に係るレシート発行装置におけるデータ処理部２で生成され、カメラで撮影された商品の画像を中間色判別に基づきグレースケール変換をし、さらに画像の２階調化を行って読み取り表現（或いは印刷）した画像を示し、カメラ撮影画像により一層忠実な画像が得られる。
【００１５】
以上の構成を有するレシート発行装置について、以下動作を説明する。図４は、例えば店舗などでの商品の販売、購入時における本実施の形態に係るレシート発行装置の動作を説明するフローチャートである。レシート発行装置が動作を開始すると、入力部１から商品コードの入力が行われ（ステップＳ１）、この商品コードに基づいて記憶部３へのデータベース検索が行われる（ステップＳ２）。複数の商品が購入される場合もあり得るため、次にレジ作業における締め操作があったかどうかチェックされ（ステップＳ３）、締め操作がない場合はステップＳ１の処理に戻って商品コードの入力が行われる。他方締め操作があった（全品目打ち込み終了）場合は会計処理が行われて合計金額が計算される（ステップＳ４）。
【００１６】
次にレシート発行のための処理に移行する。一方では、商品情報（商品名、金額等）を印刷するために記憶部３から読み出された各商品の商品情報のラスター画像化処理が行われ（ステップＳ５）、ラスター画像化された商品情報がデータ処理部２の商品情報展開部２２へ登録される（ステップＳ６）。他方では、商品画像（外観画像、素材模様）を印刷するために、対象となる商品について商品画像のデータベース検索が行われ、記憶部３から読み出された各商品の商品画像がデータ処理部２の画像加工部２３へ送られる（ステップＳ７）。画像加工部２３では、商品画像の加工輪郭が抽出され（ステップＳ８）、次に画像の濃淡を表現するためのグレースケール変換が行われる（ステップＳ９）。さらにグレースケール変換された画像に対して、２階調化処理が行われる（ステップＳ１０）。以上で外観画像の印刷用データが生成される。この処理に引き続いて、素材模様の画像データ生成処理が行われる。そのために、ステップＳ１０において生成された外観画像の印刷用データから素材画像の抽出処理が行われ（ステップＳ１１）、次いで素材画像に加工処理が施されてレシートに印刷される画像の大きさ等が決められ、素材模様の画像データが生成される（ステップＳ１２）。
【００１７】
以上のようにして生成された商品情報（ステップＳ６で生成）、外観画像（ステップＳ１０で生成）、及び素材模様（ステップＳ１２で生成）の各画像データはそれぞれ、商品情報展開部２２、外観画像展開部２４、及び素材模様展開部２５からレシート印刷部４へ出力され、このレシート印刷部４の画像合成部３１において画像の合成が行われてレシート用の画像データが生成される（ステップＳ１３）。このレシート用画像データはレシート印刷部４の画像登録部３２に登録され（ステップＳ１４）、その後印刷動作部３３へ送付されて商品情報、外観画像、素材模様の画像のレシート印刷が行われる（ステップＳ１５）。
【００１８】
図５はレシート印刷部４から出力されたレシートの一例を示す図である。このレシート３５には、商品情報として商品コード３６、品名３７、金額３８、色サイズ名３９、単価４０、数量４１の各項目が印刷表示され、さらに、商品画像である外観画像４２と素材模様４３が実際の商品の画像（図形）として表示されている。これにより、購入者は、自己が購入した商品をレシート３５を見ただけで判断でき、また、実際に商品を購入したときから時間が経過した後でも、購入した商品を正確に認識できる。
【産業上の利用可能性】
【００１９】
本発明によるレシート発行方法及び装置によれば、出力されたレシートに商品情報と、商品画像である外観画像及び素材模様が表示されているから、購入者は、自己が購入した商品をレシートを見ただけで判断でき、また、実際に商品を購入したときから時間が経過した後でも、購入した商品を正確に認識でき、有用である。
【符号の説明】
【００２０】
１  入力部
２  データ処理部
３  記憶部
４  レシート印刷部
２１  商品検索部
２２  商品情報展開部
２３  画像加工部
２４  外観画像展開部
２５  素材模様展開部
３１  画像合成部
３２  画像登録部
３３  印刷動作部
３５  レシート
３６  商品コード
３７  品名
３８  金額
３９  色サイズ名
４０  単価
４１  数量
４２  外観画像
４３  素材模様
【図１】
2014119873.tif 000003
【図２】
2014119873.tif 000004
【図３】
2014119873.tif 000005
【図４】
2014119873.tif 000006
【図５】
2014119873.tif 000007